(57)【要約】      （修正有）【課題】３角または多角形状の鏡面による複雑で多様な反射像を提供する。【解決手段】キューブが万華鏡を構成するオブジェクトケースとミラーシステムを接続する役割をすると同時に複数のミラーシステムを同時に接続したり、ミラーシステムの交換を可能にしている。オブジェクトケースはキューブに内蔵されており、かつ外部からオブジェクトケースを観察者が回転できる構造とすることで容易に映像を変化させることが出来る万華鏡を実現している。またプラスチックなどで出来たキューブの穴のひとつに照明装置を差して暗い場所でも万華鏡の映像を楽しむことを可能にした。キューブにあけたミラー筒などを固定する穴は筒を何回着脱してもいつもしっかり固定できるようにキューブの素材またはミラー筒の素材の弾性を利用して固定する構造とした。【選択図】図２
0003133547.tif 000002
【実用新案登録請求の範囲】
【請求項１】
プラスチックなどで出来たキューブ（以下キューブ）に外部から回転可能なオブジェクトケースを内臓し、そのキューブにひとつ以上の万華鏡ミラー筒が差し込める穴が開いている構造を持つ万華鏡
【請求項２】
上記キューブの穴のひとつにミラーシステムの異なる万華鏡筒を差し替えてそれぞれミラーシステムの特徴ある映像を楽しめる構造の万華鏡
【請求項３】
上記キューブの複数の穴にそれぞれにミラーシステムの異なる複数のミラー筒を差してそれぞれの映像を楽しめる構造の万華鏡
【請求項４】
請求項３のキューブの穴のひとつに照明装置を差して暗い場所でも映像を楽しめる構造の万華鏡
【請求項５】
キューブに開けたミラー筒などを固定する穴は筒を着脱したりしてもしっかり固定できるようにキューブ素材またはミラー筒素材の弾性を利用するためスリット構造をもちその効果により固定することを特徴とするミラー筒など簡便な着脱方式万の華鏡
【考案の詳細な説明】
【技術分野】
【０００１】本考案はオブジェクトをキューブに内蔵し、キューブにあけた穴にミラー筒や照明装置を差して、それぞれ異なる映像を楽しむことが出来る万華鏡に関する。
【背景技術】
【０００２】万華鏡は円筒または多角柱の中に３角または多角形状の鏡面を内側にしたミラーの中空筒体を挿入し、一方に覗き穴を設けると共に、他方の端部に彩色紙片、彩色ガラス片などの小片（以下オブジェクト）を収容し、万華鏡円筒またはオブジェクトを収納しているケース（以下オブジェクトケース）を回転させることにより端部の彩色紙片、彩色ガラス片などを移動させ、移動状態を鏡面に写して現出する各種色模様を覗き穴（アイホール）から見て楽しむ構成となっている。
【考案の開示】
【考案が解決しようとする課題】
【０００３】この考案は、一種類のミラーシステムによるオブジェクトの変化状態を鏡面に写して覗き穴から見て楽しむだけではなくて、複数のミラーシステムのミラー筒を準備して同時又はミラー筒を簡単に差し替えることによって３角または多角形状の鏡面による複雑で多様な反射像を提供するものである。
【課題を解決するための手段】
【０００４】要求項１、２および３に記載の万華鏡はキューブが万華鏡を構成するオブジェクトケースとミラーシステムを接続する役割をすると同時に複数のミラーシステムを同時に接続したり、ミラーシステムの交換を可能にしている【０００５】オブジェクトケースはキューブに内蔵されており、かつ外部からオブジェクトケースを観察者が回転できる構造とすることにより容易に映像を変化させることが出来る万華鏡を実現している。【０００６】要求項４は透明プラスチックで出来たキューブの穴のひとつに照明装置を差して暗い場所でも万華鏡の映像を楽しむことを可能にした。【０００７】キューブに黒色などの外部の光を遮断する素材を使って、照明装置を差すと透明のキューブとは全く違う映像を映し出すことが可能となる。【０００８】要求項５はキューブにあけたミラー筒などを固定する穴は筒を何回着脱してもいつもしっかり固定できるようにする必要がある。そのためにキューブの素材またはミラー筒の素材の弾性を利用して固定する構造とした。【０００９】素材の弾性を効果的に利用する手段として、キューブにあけたミラー筒などを固定する穴はミラー筒よりわずかに小さくして、穴の端からキューブの単面までスリット上の切込みを入れ、この穴にミラー筒を差し込むと穴がわずかに押し広げられキューブ素材の弾性により筒がしっかり固定する。【００１０】このとき、筒の奥側にストッパーのための段をつけるとミラー筒は底で垂直に止まりさらにしっかり固定される。
【考案の効果】
【００１１】万華鏡のミラーシステムは多様な種類がありそれぞれが変化のある映像を提供している。従来の万華鏡はミラーとオブジェクトが一体に固定されているものが一般的あった。このため複数のミラーシステムの万華鏡を楽しむためにはミラーシステムの数だけの万華鏡を必要とした。【００１２】本考案のキューブ万華鏡によって、ひとつのオブジェクトに対して複数のミラーを着脱したり同時に複数のミラーをつけたり、ミラーの代わりにミラーと同じ外形を持つ照明装置を取り付けたりすることのできるようになった、このためひとつの万華鏡で映像が限りなく多様化した万華鏡を実現することが出来る。【００１３】素材の弾性を利用して筒などを固定する他の方法として、キューブにスリットを入れずにミラー筒など差し込む側の終端に差し込む方向にスリット状の切込みを数本入れておくと同様の効果がある。【００１４】また、キューブに内蔵したオブジェクトケースも着脱可能でありオブジェクトの素材、色合いの違うものと交換することもでき、内部を液体入りのものとすることもでき、更に変化のある万華鏡の提供が可能になった。
【考案を実施するための最良の形態】
【００１５】本考案の実施の形態を図面により詳述する。
図１は一般的な万華鏡の断面図である。外筒２７の中に納められた中空鏡面筒体２９と一方にアイホール３０を設けると共に、他方の端部のオブジェクトケース１３に彩色紙片、彩色ガラス片などのオブジェクト３１を収容し、円筒を回転させることにより端部の彩色紙片、彩色ガラス片などを移動させ、移動状態を鏡面に写して現出する各種色模様を覗き穴から見て楽しむ構成となっている。【００１６】図２はこの考案のキューブ万華鏡の構成図の一例である。本例ではキューブ５とオブジェクトケース１１、ミラー筒１および２、照明筒１５で構成されている。ミラー筒１および２はそれぞれ異なるミラーシステム３，４を内蔵している。【００１７】キューブ５はプラスチックなどで出来たブロック状のものにオブジェクトケース１１を収納する穴６とミラー筒１，２や照明筒１５を差し込むための穴８，９，１０があいている。各筒の穴にはキューブ素材の弾性を利用して筒をしっかり固定するためのスリット７の切込みがいれてある。【００１８】オブジェクトケース１１はキューブにあけたオブジェクトケース収納穴６に差込む、わずかに狭くなっている穴の入り口とオブジェクトケースのくびれたつまみ部分まで差込みはめ込まれる。この状態でつまみ部分を指でつまんで回すとケースは回転して中のオブジェクトが移動して攪拌される
【実施例】
【００１９】図３は図２の構成要素の実施例である。この実施例ではミラー筒１８または１９のアイホールからのぞきながらオブジェクトケース２１の回転つまみを指で回転させると中のオブジェクトが移動攪拌されて変化のある美しい映像を見ることが出来る。【００２０】このとき照明筒２２を点灯させると暗い場所でも美しい映像を楽しむことが出来る。【００２１】図４はキューブ、オブジェクトケース、ミラー筒２３，２４で構成した場合の実施例である。この場合もミラー筒２３，２４のアイホールからのぞいてオブジェクトケース２６のつまみを指で回転させながら映像を楽しむことが出来る。ミラー筒２４を抜いて照明筒を取り付けると照明つきの万華鏡にすることが出来る。
【産業上の利用可能性】
【００２２】本考案のキューブは６面体のキューブで説明したが、あらゆる多面体で実現できるので産業上も多岐にわたり応用が可能である。
【図面の簡単な説明】
【００２３】
【図１】従来の万華鏡の断面図である。
【図２】キューブ万華鏡の構成図の一例
【図３】図２の構成例の応用例
【図４】キューブ万華鏡のミラー２組タイプの応用例
【符号の説明】
【００２４】０１  ミラー筒（１）
０２  ミラー筒（２）
０３  ミラーシステム（１）
０４  ミラーシステム（２）
０５  キューブ
０６  オブジェクトケース穴
０７  スリット
０８  照明差込穴
０９  ミラー筒差込穴
１０  ミラー筒差込穴
１１  オブジェクトケース
１２  オブジェクト
１３  オブジェクト回転つまみ
１４  アイホール
１５  照明筒
１６  電池
１７  ＬＥＤランプ
１８  ミラー筒
１９  ミラー筒
２０  キューブ
２１  オブジェクトケース
２２  照明筒
２３  ミラー筒
２４  ミラー筒
２５  キューブ
２６  オブジェクトケース
【図１】
0003133547.tif 000003
【図２】
0003133547.tif 000004
【図３】
0003133547.tif 000005
【図４】
0003133547.tif 000006
【手続補正書】
【提出日】平成19年4月5日(2007.4.5)
【手続補正１】
【補正対象書類名】実用新案登録請求の範囲
【補正対象項目名】全文
【補正方法】変更
【補正の内容】
【実用新案登録請求の範囲】
【請求項１】
プラスチックなどで出来たキューブ（以下キューブ）に外部から回転可能なオブジェクトケースを内蔵し、そのキューブにひとつ以上の万華鏡ミラーが差し込める穴が開いている構造を持つ万華鏡。
【請求項２】
上記キューブ穴のひとつにミラーシステムの異なる万華鏡筒を差し替えてそれぞれのミラーシステムの特徴ある映像を楽しめる構造の請求項１に記載の万華鏡。
【請求項３】
上記キューブの複数の穴それぞれにミラーシステムの異なる複数のミラー筒を差してそれぞれのミラーシステムの特徴ある映像を楽しめる構造の請求項１に記載の万華鏡。
【請求項４】
上記キューブの複数穴のひとつまたは複数の万華鏡ミラー筒を差込み、他の穴に照明装置を差込み暗い場所でも美しい映像が楽しめる構造の請求項１に記載の万華鏡。
【請求項５】
上記キューブ穴は万華鏡ミラー筒や照明装置を簡単にかつしっかりと固定できるように、穴の端からキューブ端に向かって細いスリット状の切り込みを入れ万華鏡ミラー筒や照明装置を穴に差したときキューブ素材の弾性によってしっかりと固定でき簡単に抜け落ちないような構造をもつことを特徴とする請求項１に記載の万華鏡。